(57)【要約】【課題】  遊技者の悪意により物理的に開放状態とされて不正が行われる危険性の極めて少ない入賞口を提供するもの。  【解決手段】  遊技球を選択的に入賞可能とする入賞装置であって、遊技領域の下方に、遊技盤と同一平面にて回転する回転入賞盤２００に入賞口を設け、該入賞口を、該回転入賞盤２００に開口した開口部２０１と、該開口部２０１を閉鎖及び開放する遮蔽部材２０２とから構成するとともに、該回転入賞盤２００を回転させる駆動機構２０４を設ける。回転入賞盤２００の回転に伴い、遮蔽部材２０２は、自身の重量により回動支点２０９を支点に自在に回動し、前記開口部２０１を閉鎖あるいは開放する。  遊技球１００は開放時は遮蔽部材２０２の内側面をガイドに前記開口部２０１への入賞が可能となるので、回転入賞盤２００を回転させることにより、入賞可能状態を選択することができる。  この回転入賞盤には、複数個の入賞口や所謂チューリップを載置しても良い。【選択図】図２
2009291431.tif 000002
【特許請求の範囲】
【請求項１】
遊技領域が形成され、該遊技領域に向けて打ち込まれた遊技球が流下可能な遊技盤と、前記遊技領域に配設され、前記遊技盤と同一平面にて回転する回転入賞盤と、前記回転入賞盤を回転させる駆動源と、前記回転入賞盤に設けられる入賞口とを備えた弾球遊技機であって、前記入賞口は、前記回転入賞盤に開口した開口部と、前記回転入賞盤に、前記開口部を閉鎖及び開放するよう回動自在に軸支された遮蔽部材とからなり、前記遮蔽部材が、前記駆動源による前記回転入賞盤の回転に伴い、自身の重量により回動して前記開口部を閉鎖あるいは開放することにより前記入賞口への遊技球の入球を選択可能としたことを特徴とする弾球遊技機。
【請求項２】
請求項１に記載の弾球遊技機において、前記開口部は、遊技球の流下方向に対して横長に形成され、前記遮蔽部材は、先端が前記回転入賞盤に対し直交する方向に回動して前記開口部を閉鎖及び開放する前板として形成されることを特徴とする弾球遊技機。
【請求項３】
請求項１ないし２に記載の弾球遊技機において、前記遊技盤には、前記回転入賞盤に隣接するとともに前記回転入賞盤と連動して回転する補助回転入賞盤を前記回転入賞盤と同一平面に設け、前記補助回転入賞盤には補助開口部が設けられるとともに、前記補助回転盤に、前記補助開口部を閉鎖及び開放するよう回動自在に軸支された補助遮蔽部材が設けられており、前記開口部が遊技球流下方向に対し横方向に位置して前記遮蔽部材が前記開口部を開放するとき、前記補助開口部が前記開口部と連通し、かつ前記補助遮蔽部材が自身の重量により前記補助開口部を開放すると共に前記遮蔽部材と隣接することにより、遊技球を前記開口部に誘導するように前記補助入賞盤を配置したことを特徴とする弾球遊技機。
【請求項４】
請求項１に記載の弾球遊技機において、前記遮蔽部材は一対の可動片からなり、それぞれの前記可動片は、前記回転入賞盤に、遊技盤面に対し平行かつ互いに相反する方向に回動自在に軸支されるとともに、前記開口部に面した側部に、前記開口部を開放したとき前記開口部に対して遊技球を誘導するガイド部が形成されており、前記１対の可動片は、前記回転入賞盤の回転に伴い自身の重量により協働して前記開口部を閉鎖及び開放することを特徴とする弾球遊技機。
【請求項５】
請求項１〜４に記載の弾球遊技機において、前記回転入賞盤に前記回転入賞盤の回転中心から偏倚して、前記開口部の横幅が異なる複数の前記入賞口を設けると共に、それぞれの前記遮蔽部材の先端を前記回転中心からみて同一方向に配置したことを特徴とする弾球遊技機。
【発明の詳細な説明】
【技術分野】
【０００１】
本発明は、弾球遊技機において遊技球を選択入賞させる入賞口に関する。
【背景技術】
【０００２】
従来、図１７に示すように、パチンコ遊技機などの弾球遊技機においては、遊技球が流下する遊技領域００１内に、障害釘１８ａや風車１８ｂ、あるいは液晶表示装置１９の可変表示を始動する始動入賞口２０等が配置されている。そして、この始動入賞口２０への遊技球の入賞に基づき抽せんが行われ、抽せん結果が液晶表示装置１９に表示されると共に、当選することによって、遊技盤の下部に設けられている大入賞口２１が開放されて遊技者にとって有利な遊技が行われるように構成されている。
この大入賞口のような、遊技球を選択的に入賞させる入賞口は、例えば、図１８に示すように遊技盤１０１の遊技領域内の所定位置を切り欠いて設置される。そして、この入賞口１０２は、開口部１０３と、下端部がこの開口部１０３の下部に軸支され、先端部が遊技盤１０２に対し前後方向に回動される前板１０４とから構成されている。
この前板１０４は、リンク機構１０５を介して、電磁ソレノイド１０６のプランジャ１０８に連結されている。したがって、電磁ソレノイド１０６が電力供給による励磁によりばね部材１０７の押圧力に抗してプランジャ１０８を吸引することによって、該プランジャ１０８に連結するリンク機構１０５を介して、前板１０４の先端部が遊技盤前方に突出し、この前板１０４が上方から流下してくる遊技球１００を開口部１０３に誘導するようになっている。
この前板１０４は、通常の遊技状態では、該開口部１０５を閉鎖する位置（図１８における実線位置）にあるが、遊技者にとって有利になる特定の遊技条件、例えば上記したように、遊技球が特定の入賞口（始動入賞口）に入賞し、若しくは特定のゲートを通過し、又は表示装置に特定の図柄の組み合わせが表示された等の条件が成立することにより、電磁ソレノイド１０６の駆動により当該開口部１０３を開放する位置（図１８における２点鎖線位置）に回動され、遊技者に対し有利な遊技を可能としている。（特許文献１）
【特許文献１】特開２００３−３２５８３２号公報
【発明の開示】
【発明が解決しようとする課題】
【０００３】
しかしながら、このように構成された入賞口２１では、前板１０４は、単にばね部材１０７の押圧力によって閉鎖されているだけなので、電磁ソレノイド１０６による駆動がなくても、遊技者の悪意による何らかの物理的手段によって、前記前板１０４を遊技盤１０１前方の開放位置に強制的に回動することが可能となっている。そして、そのように遊技者の意志により強制的に回動されると、通常の遊技状態であるにも拘わらず、上方から流下する遊技球１００は前記した特定の条件に関係なく開口部１０３から入賞することとなり、それに伴い不正な賞球の払出が行われる原因となる。
【０００４】
本発明は前記の点に鑑みなされたものであり、遊技者の悪意により物理的に開放状態とされて不正が行われる危険性の極めて少ない入賞口を提供しようとするものである。  
【課題を解決するための手段】
【０００５】
本発明は、上述した目的を達成する解決手段として、遊技盤と同一平面にて回転する回転入賞盤に入賞口を設け、該入賞口を、該回転入賞盤に開口した開口部と、該開口部を閉鎖及び開放する遮蔽部材とから構成し、回転入賞盤の回転に伴い、遮蔽部材が自身の重量により回動して前記開口部を閉鎖あるいは開放することにより前記入賞口への遊技球の入球を選択可能とするように構成したものである。
より詳しくは、請求項１の発明は、遊技領域が形成され、該遊技領域に向けて打ち込まれた遊技球が流下可能な遊技盤と、前記遊技領域に配設され、前記遊技盤と同一平面にて回転する回転入賞盤と、前記回転入賞盤を回転させる駆動源と、前記回転入賞盤に設けられる入賞口とを備えた弾球遊技機であって、前記入賞口は、前記回転入賞盤に開口した開口部と、前記回転入賞盤に、前記開口部を閉鎖及び開放するよう回動自在に軸支された遮蔽部材とからなり、前記遮蔽部材が、前記駆動源による前記回転入賞盤の回転に伴い、自身の重量により回動して前記開口部を閉鎖あるいは開放することにより前記入賞口への遊技球の入球を選択可能としたことを特徴とする弾球遊技機であり、特定の遊技条件の成立しない閉鎖状態では、例え遮蔽部材を物理的手段により強制的に開かせたとしても、上方から流下する遊技球は開口部に誘導されることがない安全性に優れた弾球遊技機を提供することができる。
【０００６】
また、請求項２の発明は、請求項１に記載の弾球遊技機において、前記開口部は、遊技球の流下方向に対して横長に形成され、前記遮蔽部材は、先端が前記回転入賞盤に対し直交する方向に回動して前記開口部を閉鎖及び開放する前板として形成されることを特徴とする弾球遊技機であり、遊技球の流下方向に対し直交する開口幅が大きな入賞口、所謂、特別電動役物に適用することで、更に安全性に優れた弾球遊技機を提供することができる。
【０００７】
また、請求項３の発明は、請求項１ないし２に記載の弾球遊技機において、前記遊技盤には、前記回転入賞盤に隣接するとともに前記回転入賞盤と連動して回転する補助回転入賞盤を前記回転入賞盤と同一平面に設け、前記補助回転入賞盤には補助開口部が設けられるとともに、前記補助回転盤に、前記補助開口部を閉鎖及び開放するよう回動自在に軸支された補助遮蔽部材が設けられており、前記開口部が遊技球流下方向に対し横方向に位置して前記遮蔽部材が前記開口部を開放するとき、前記補助開口部が前記開口部と連通し、かつ前記補助遮蔽部材が自身の重量により前記補助開口部を開放すると共に前記遮蔽部材と隣接することにより、遊技球を前記開口部に誘導するように前記補助入賞盤を配置したことを特徴とする弾球遊技機であり、補助回転入賞盤を回転入賞盤に隣接して設けることにより、遊技盤の縦方向の遊技領域を犠牲にすることなく、入賞領域を横方向に拡張できるので、遊技盤の限られた遊技領域を有効に活用することができる。
【０００８】
また、請求項４の発明は、請求項１に記載の弾球遊技機において、前記遮蔽部材は一対の可動片からなり、それぞれの前記可動片は、前記回転入賞盤に、遊技盤面に対し平行かつ互いに相反する方向に回動自在に軸支されるとともに、前記開口部に面した側部に、前記開口部を開放したとき前記開口部に対して遊技球を誘導するガイド部が形成されており、前記１対の可動片は、前記回転入賞盤の回転に伴い自身の重量により協働して前記開口部を閉鎖及び開放することを特徴とする弾球遊技機であり、所謂、チューリップ式の入賞装置においても、同様の簡便な構成により、安全性に優れた弾球遊技機を提供することができる。
【０００９】
さらに、請求項５の発明は、請求項１〜４に記載の弾球遊技機において、前記回転入賞盤に前記回転入賞盤の回転中心から偏倚して、前記開口部の横幅が異なる複数の前記入賞口を設けると共に、それぞれの前記遮蔽部材の先端を前記回転中心からみて同一方向に配置したことを特徴とする弾球遊技機であり、同様の簡便な構成により、複数の入賞領域幅を選択可能とするとともに安全性に優れた弾球遊技機を提供することができる。
【発明の効果】
【００１０】
本発明は、以上のように、自身の重量によって回動する遮蔽部材の採用により、例え該遮蔽部材を物理的手段で強制的に開かせたとしても上方から流下する遊技球が開口部に誘導されることのない、安全性に優れた弾球遊技機を、比較的簡便な構成として提供することができる。
【発明を実施するための最良の形態】
【００１１】
以下に本発明に好適な実施の形態を、本発明をパチンコ遊技機に適用した場合おいて、図面を用いて説明する。  
【００１２】
図１は、本発明の実施の形態に係る遊技盤の説明図、図２、３は、本発明の第１の実施の形態に係る回転入賞盤の断面図、図４は、本発明の第１の実施の形態に係る回転入賞盤の正面説明図、図５は、本発明の実施の形態に係る遮蔽部材の断面図、図６は、本発明の実施の形態に係る別の形態の遮蔽部材の正面説明図、図７は、本発明の実施の形態に係る別の形態の遮蔽部材の断面図、図８は、本発明の実施の形態に係る別の形態の遮蔽部材の断面図、図９は、本発明の第２の実施の形態に係る回転入賞盤の正面説明図、図１０は、本発明の第２の実施の形態に係る補助回転入賞盤の断面図、図１１は、本発明の第３の実施の形態に係る回転入賞盤の断面図、図１２、１３は、本発明の第３の実施の形態に係る回転入賞盤の正面説明図、図１４は、本発明の第３の実施の形態に係る回転入賞盤の上側面図、図１１は、本発明の第４の実施の形態に係る回転入賞盤の断面図、図１６は本発明の第４の実施の形態に係る回転入賞盤の正面説明図である。
【００１３】
本発明の実施の形態に係る弾球遊技機は、図１に示すように、遊技場の島設備に設置される基枠１１１と、該基枠１１１に扉状に開閉自在に取り付けられた前面枠１１２と、前面枠１１２に収容された後述する遊技盤１１３と、前面枠１１２の前面に扉状に開閉自在に取り付けられたガラス枠１１４と、前面枠１１２の下側に配設された後述する玉受け皿１１５を有する前面ボード１１６と、前面ボード１１６に取り付けられた発射ハンドル１１７などが設けられており、遊技機背面には図示しない主基板や周辺基板などの各種の制御基板などが取り付けられている。この内、主基板は遊技動作を制御するものであって主制御基板と払出制御基板とからなり、周辺基板は演出動作（音響出力や液晶表示等）を制御するものである。
【００１４】
また、前記遊技盤１１３上における遊技領域００１には、従来と同様に、障害釘１１８ａや風車１１８ｂ、あるいは液晶表示装置１１９の可変表示を始動する始動入賞口１２０と電動チューリップ１２１が配置され、下方に回転入賞盤２００からなる大入賞口が配置されている。また、遊技盤の下部には、入賞しなかった遊技球を回収するアウト穴１２２が設けられている。
本発明においては、この大入賞口のように遊技球を選択的に入賞させる入賞口を、回転入賞盤に設けたものであり、この回転入賞盤２００は、図１に示すように円盤状に形成されて遊技盤１１３の遊技領域内の所定位置に設けられる。
【００１５】
本発明の第１の実施の形態における回転入賞盤２００の構成を、図２〜４を用いて、説明する。
図２〜４に示すように、この回転入賞盤２００には遊技球１００を選択的に入賞させる入賞口が設けられており、この入賞口は、回転入賞盤２００に開口した開口部２０１と、該開口部２０１を閉鎖あるいは開放する遮蔽部材２０２とからなっている。
また、回転入賞盤２００は、その円形の外延が回転支持部材２０３に支持されて、遊技盤１１３とほぼ同一面内で回転可能となっている。そして、この回転入賞盤２００を回転するための駆動源２０４が回転支持部材２０３に設けられ、この回転支持部材２０３が遊技盤１１３に固定されている。回転入賞盤２００は、この駆動源２０４により、駆動機構を介して回転支持部材２０３にガイドされつつ回転する。
また、遮蔽部材２０２は、その後端部２０２ｂが、回転入賞盤２００の開口部２０１に沿って、回動支点２０９を中心に揺動自在に支持されており、その先端部２０２ａが遊技盤１１３の前方に自由に回動するようになっている。しかし、この遮蔽部材２０２は、回転入賞盤２００の開口部２０１に沿って設けられた遮蔽部材ストッパ部２００ｂにより、鎖線で示す所定角度θの位置に停止するようになっている。
したがって、回転入賞盤２００が図２に示す状態では、遮蔽部材２０２は、自身の重量により所定角度θまで遊技盤１１３の前方に回動し、開口部２０１が開放される。
回転入賞盤２００が、図２に示す状態から、更に半回転した図３に示す状態では、遮蔽部材２０２は、自身の重量により先端部２０２ａが下垂し、開口部２０１が閉鎖される状態となる。
このように、回転入賞盤２００は、図２に示す開口部２０１の開放状態位置と、それから半回転した図３に示す開口部２０１の閉鎖状態位置との、２つの位置に停止するように回転駆動される。
【００１６】
この２つの状態位置について、図４を用いて説明する。
図４は、回転入賞盤２００を遊技盤１１３の前方から見た図であり、図４（１）では、図２と同じ開放状態を示しており、開口部２０１が遊技球の流下方向に対し横長になり、遮蔽部材２０２が該開口部２０１を開放している。
図４（２）では、図３と同じ閉鎖状態を示しており、図４（１）の状態から回転入賞盤２００が半回転し、開口部２０１が遊技球流下方向に対し横長になるも、遮蔽部材２０２が該開口部２０１を閉鎖している。
【００１７】
したがって、この入賞口２０１が開放された状態では、図２に示すように、遊技盤１１３の上方より流下する遊技球１００は、遮蔽部材２０２の内側面をガイド部として、入賞口２０１内にガイドされ、玉検知部２０６により入賞球として検出される。
一方、入賞口２０１が閉鎖された状態では、図３に示すように、上方より流下する遊技球１００は、入賞口２０１に流入することなく遮蔽部材２０２の外側面にガイドされて、下方のアウト穴１２２に向かう。
【００１８】
図３に示す遮蔽部材２０２が入賞口２０１を塞いでいる状態では、この遮蔽部材２０２は単に重力により下垂しているだけなので、この遮蔽部材２０２を何らかの物理的手段によって遊技盤１１３の前方に回動させることは可能であるが、上記したように、上方から流下する遊技球１００はこの遮蔽部材２０２の外側面でガイドされて下方のアウト穴１２２に向かうから、そのような遊技球１００を入賞口２０１に流入させることは殆ど不可能となっている。
しかも、遮蔽部材２０２は遮蔽部材ストッパ部２００ｂにより所定角度θしか回動することができず、更に、遮蔽部材２０２の先端部に対応して回転遊技盤２００の一部に遊技球ストッパ部２００ａが設けられているので、遮蔽部材２０２を故意に開放状態としても、遊技球１００を入賞口２０１に入賞させることは不可能となっている。
【００１９】
この第１の実施の形態では、遮蔽部材２０２の遊技盤１１３前方への回動を確実に行うため、図５に示すように、回転支持部材２０３を遊技盤１１３に取り付けるにあたり、該回転支持部材自体を、遊技盤１１３に対し所定の角度αを有する前傾姿勢になるように取り付ける構成を取ることができる。
このように構成すると、遮蔽部材２０２が遊技盤前方に重力で回動することを確実にすることができ、大入賞口が開放される遊技状態において、遮蔽部材２０２が開放状態にならない危険性を排除することができる。
なお、このように回転入賞盤２００を前傾姿勢にするために、回転入賞盤２００を回転支持部材２０３に取り付けるに当たり、回転入賞盤２００自体を前傾姿勢になるように取り付けても、同様の作用効果が得られる。
あるいはまた、図６、７に示すように、遮蔽部材２０２の外方先端部に重り２０７を取り付けたり、図８に示すように、重心２０８を回動中心２０９より遊技盤１１３前方にシフトするように回動中心をセットしたりしても同様な効果が得られる。
【００２０】
本発明における入賞口は、上記したように遊技者に対して安全なので、図４に示したように、開口部２０１を遊技球の流下方向に対し横長に形成することにより、特別遊技に使用される大入賞口、いわゆるアタッカーとして用いることができる。
その場合、遮蔽部材２０２もこのような横長の開口部２０１を遮蔽することのできる横長の前板として構成することができる。
このように、本発明における回転入賞盤には、入賞口の横幅の長短に拘わらず、遊技者に対し安全な入賞口を設けることができ、入賞口が回転することに伴い開放及び閉鎖動作が行われるという、遊技者にとって視覚的にも優れた趣向の遊技盤を提供することができる。  
【００２１】
次に、本発明の第２の実施の形態について、説明する。
上記した第１の実施の形態では、大入賞口のような遊技球の流下方向に対し横長の入賞口を構成するには、回転入賞盤２００の径を、その開口部２０１の幅以上に形成する必要がある。
しかしながら、このような大きな径の回転入賞盤を遊技領域に設けることは、該回転入賞盤に役物や障害物等を設置できない場合には、入賞口の上下方向に形成される回転入賞盤の領域は遊技に関係しない領域となるので、多様な遊技性を有する遊技盤を設計する上で無駄が生じてしまう。
この第２の実施の形態は、このようなことに鑑み、補助回転入賞盤を設けることで、回転入賞盤の径を小さくすることができるようにしたものである。
【００２２】
この第２の実施の形態について、図９を用いて説明する。
図９に示すように、回転入賞盤２００の左右側部に隣接して、補助回転入賞盤３００が設けられる。この補助回転入賞盤３００は、回転入賞盤の入賞口と同様に、補助開口部３０１と該補助開口部を閉鎖及び開放する補助遮蔽部材３０２を有している。この補助回転入賞盤３００は、その円形の外延が回転支持部材２０３に支持されて回転入賞盤２００と同一面内で回転可能となっており、回転入賞盤２００を回転するための駆動源２０４’による駆動力が、図示しない駆動機構を介して、補助回転入賞盤３００の駆動機構３０４に伝達され、回転入賞盤２００と左右の補助回転入賞盤３００が同期して回転されるよう構成されている。
また、図１０に示すように、補助遮蔽部材３０２は、その後端部３０２ｂが、補助回転入賞盤３００の補助開口部３０１に沿って、揺動自在に支持されており、その先端部３０２ａが遊技盤１１３の前方に自由に回動するようになっている。しかし、この補助遮蔽部材３０２は、補助回転入賞盤３００の補助開口部３０１に沿って設けられた遮蔽部材ストッパ部３００ｂにより、鎖線で示す所定角度θの位置に停止するようになっている。
したがって、補助回転入賞盤が図１０に示す状態では、補助遮蔽部材３０２は、自身の重量により所定角度θまで遊技盤前方に回動し、補助開口部３０１が開放される。
補助回転入賞盤３００が、図１０に示す状態から、更に半回転した状態（図示しない）では、補助遮蔽部材３０２は、自身の重量により先端部３０２ａが下垂し、補助開口部３０１が閉鎖される状態となる。
このように、補助回転入賞盤３００は、補助開口部３０１の開放状態位置と、それから半回転した閉鎖状態位置との、２つの位置に停止するように回転駆動される。
【００２３】
また、補助回転入賞盤３００は、回転入賞盤２００の回転と同期して回転し、回転入賞盤２００の遮蔽部材２０２が開口部２０１を開放するとき、補助遮蔽部材３０２も補助開口部３０１を開放する状態となっている。
このように、遮蔽部材２０２が開放状態であるときには、補助遮蔽部材３０２も開放状態にあり、しかも、これら両部材が開放状態にあるとき、互いに隣接する端部は、その間隙から遊技球が下方に落下しない距離に近接して配置される。
また、このように開放状態であるとき、開口部２０１と補助開口部３０１とは、隣接する端部が互いに連通されるように構成され、補助開口部３０１にガイドされた遊技球が開口部２０１へ移動可能とされている。
したがって、入賞口が開放状態であるとき、上方から流下する遊技球は、補助遮蔽部材３０１によりガイドされた遊技球は、補助開口部３０１に入球するか、あるいは遮蔽部材２０１を経て開口部２０１に入球するか、いずれにしても開口部２０１に集合し、玉検知部２０６により入賞球として検出される。
【００２４】
この第２の実施の形態によれば、上記した第１の実施の形態に比べ、次のような利点がある。
図９に一点鎖線で示す遊技領域３０３は、第１の実施の形態においては、回転入賞盤２００により占められる領域となるが、この第２の実施の形態によれば、障害釘１１８ａなどの遊技要素を配置することが可能となり、遊技盤の設計自由度が向上する。
また、回転する入賞機構が３点となり、これらが一斉に回転するので、遊技者にとって視覚的にも興趣を与えるものとなっている。
さらに、この実施の形態を上記したアタッカーに適用する場合には、アタッカーに入球する遊技球数は予め制限されるので、制限数以上の遊技球が入賞しないようにするには回転入賞盤の回転速度は相当に高速度でなければならないが、この実施の形態によれば小さな回転盤となるので、そのような回転駆動が比較的容易となる。
【００２５】
なお、上記した実施例では、補助回転入賞盤３００に、補助開口部３０１を設け、開放状態において、この補助開口部３０１が回転入賞盤２００の開口部２０１と連通するように構成されているが、該補助開口部３０１は必ずしも必要がない。
この場合、図９に示すごとく、左右の補助遮蔽部材３０２が、開口部２０１に向かって傾斜を形成するように、補助回転入賞盤３００の回転停止角度を設定し、補助遮蔽部材３０２と遮蔽部材２０２とは、隣接する隙間から遊技球が通り抜けたり、隙間に挟まったりすることがないように、端部が密に隣接配置する。
このように構成すると、遮蔽部材２０２が開放状態であるとき、この左右の補助遮蔽部材３０２は、該遮蔽部材２０２と協働して上方から流下する遊技球１００を開口部２０１にガイドすることができる。
【００２６】
次に、本発明の第３の実施の形態について、説明する。
従来、所謂電動チューリップ１２１は、図１７に示すように、始動入賞口１２０の直下に設けられており、通常はその可動片１２１ａが起立した状態にあって、入賞口に遊技球が入賞しないよう構成されている。そして抽せん手段による抽せんの結果、当選すると、可動片１２１ａが電磁ソレノイドによって側方に回動され、遊技球が入球しやすい状態とされる。
しかし、この可動片１２１ａも、図１８に示したものと同様に、単にばね部材の押圧力によって入賞口を閉鎖しているだけなので、電磁ソレノイドによる駆動がなくても、遊技者の悪意による何らかの物理的手段によって側方の開放位置に強制的に回動することが可能となっている。
そこで、本発明では、このチューリップを回転入賞盤に搭載することで、遊技者に対する安全性を高めたものである。    
【００２７】
図１１は、回転入賞盤４００の遊技盤１１３上での一部断面図であり、回転入賞盤４００は、遮蔽部材である可動片が開放状態の位置にある。
図１２及び１３は、この回転入賞盤４００を遊技盤１１３の正面から見た図であり、図１２ではチューリップが閉鎖状態であり、図１３では開放状態である。図１４は、図１３の状態での遊技盤前方からの斜視図である。
図１１に示すように、回転入賞盤４００は、遊技盤１１３上に設けられ、駆動機構４０４により遊技盤１１３とほぼ同一面で回転するように構成されている。  
また、図１２、１３に示すように、回転入賞盤４００上には、カバー４０５が固設され、その内部には、遮蔽部材である左右１対の可動片４０２が、支点４０３を軸として遊技盤１１３面に対し平行に自由に揺動することができるように設けられている。このカバー４０５は、円形状に形成された前面部４０５ａと側部４０５ｂからなる袋状になっており、側部４０５ｂの上辺部４０５ｃが可動片４０２の回動を制限している。また、回転入賞盤４００の回転に伴い一方の可動片４０２が他方の可動片側に倒れ込まないように回動を制限するストッパ部材４０５ｄが、遊技球１００の侵入を阻止しない形状でカバー４０５の前面部４０５ａに設けられている。
さらに、回転入賞盤４００の回転中心部には遊技球の開口部４０１が設けられ、該開口部４０１内には図示しない玉検知部材が設けられている。
【００２８】
回転入賞盤４００が図１２に示す位置にある状態では、一対の可動片４０２は、自身の重量により、その先端４０２ａを下垂している。したがって、この状態では、可動片４０２が開口部４０１を閉鎖しているので、遊技球１００が開口部４０１に侵入することはない。
また、回転入賞盤が図１３に示す位置にある状態では、一対の可動片４０２は、自身の重量により、その先端部４０２ａが遊技盤と平行かつ互いに反対方向に揺動しており、カバー側部４０５に設けられた上辺部４０５ｃにより、開口部４０１を開放した状態に停止されている。したがって、上方から流下してくる遊技球１００は、その開口部４０１に面した側部４０２ｂで開口部４０１にガイドされるので、遊技球１００は容易に入賞口に入球することができる。
この実施の形態においても、回転入賞盤４００を、図１２に示す位置と、それから半回転した図１３に示す位置との、２つの停止位置を選択するように回転させることで、遊技球の選択的な入賞を可能する。
なお、遮蔽部材である一対の可動片は、互いに反対方向に回動することを確実にすべく、前記第１の実施の形態におけると同様、支点４０３の位置と重心位置とを離すように構成されている。
この第３の実施の形態によれば、遊技者に対し安全であり、かつ、視覚的にも優れた遊技機を提供することができる。  
【００２９】
次に、本発明の第４の実施の形態について図１５、１６を用いて説明する。
上記した実施の形態においては、回転入賞盤には、いずれも、入賞口が１つのみ設けられているが、この実施の形態においては、これを複数個設けることで、より興趣ある遊技機を提供するものである。
図１５の断面図、及び図１６の正面図で示すように、回転入賞盤５００は、その回転中心Ｃから偏倚した２つの入賞口Ａ，Ｂが対向して設けられており、駆動機構５０４によって、遊技盤とほぼ同一面で回転可能となっている
一方の入賞口Ａは、開口部５０１Ａと、該開口部５０１Ａを開放及び閉鎖する遮蔽部材５０２Ａとからなり、他方の入賞口Ｂは、開口部５０１Ｂと、該開口部５０１Ｂを開放及び閉鎖する遮蔽部材５０２Ｂとからなっている。そして、遮蔽部材５０２Ａ及び５０２Ｂは、それぞれの先端部５０２Ａａ及び５０２Ｂｂが、回転中心からみて同一方向、つまり図１５では回転中心Ｃから外方に向かうように配置されている。そして、これら入賞口Ａ、Ｂはいずれも上記したものと同様に、遮蔽部材の先端部が自由に揺動することができるように構成されており、図１５に示す回転入賞盤の位置においては、回転中心から上方に位置する入賞口Ａの遮蔽部材５０２Ａが、自身に重量により開口部５０１Ａを開放するように構成されている。したがって、上方から流下する遊技球１００は、遮蔽部材５０２Ａの内側側面にガイドされて、開口部５０１Ａから入賞することとなる。
【００３０】
このように、図１６に示す回転入賞盤５００の回転位置においては、回転中心Ｃから上方に位置する入賞口から遊技球が入賞することとなるが、遮蔽部材の先端部が内方に向かうように配置しても良く、その場合は、回転中心Ｃから下方に位置する入賞口から遊技球が入賞することとなる。
また、このように複数の入賞口を設ける場合、図１６に示すように、遮蔽部材の横幅寸法ｘ、ｙを異ならせることにより、遊技球１００の入賞しやすさが異なる入賞口を、回転入賞盤５００の回転により適宜選択する構成とすることができる。
なお、図１５に示す実施例では、回転中心Ｃに対向して２つの入賞口を配置したが、３個以上を適宜配置してもよい。また、これら複数の入賞口に、それぞれ異なった意匠形態を施してもよい。
このように、この第４の実施の形態によれば、遊技者に対し安全で、かつ入賞確率や形態を異ならせた複数の入賞口を用いることで、より遊技性に富み、視覚的に優れ、かつ安全な遊技機を提供することができる。
【図面の簡単な説明】
【００３１】
【図１】本発明の実施の形態に係る遊技盤の説明図。
【図２】本発明の第１の実施の形態に係る回転入賞盤の断面図（開放時）。
【図３】本発明の第１の実施の形態に係る回転入賞盤の断面図（閉鎖時）
【図４】本発明の第１の実施の形態に係る回転入賞盤の正面説明図。
【図５】本発明の実施の形態に係る遮蔽部材の断面図。
【図６】本発明の実施の形態に係る別の形態の遮蔽部材の正面説明図。
【図７】本発明の実施の形態に係る別の形態の遮蔽部材の断面図。
【図８】本発明の実施の形態に係る別の形態の遮蔽部材の断面図。
【図９】本発明の第２の実施の形態に係る回転入賞盤の正面説明図。
【図１０】本発明の第２の実施の形態に係る補助回転入賞盤の断面図。
【図１１】本発明の第３の実施の形態に係る遊技盤の断面図。
【図１２】本発明の第３の実施の形態に係る回転入賞盤の正面説明図（閉鎖時）。
【図１３】本発明の第３の実施の形態に係る回転入賞盤の正面説明図（開放時）。
【図１４】本発明の第３の実施の形態に係る回転入賞盤の斜視図（開放時）。
【図１５】本発明の第４の実施の形態に係る回転入賞盤の断面説明図。
【図１６】本発明の第４の実施の形態に係る回転入賞盤の正面説明図。
【図１７】従来例における遊技機の説明図。
【図１８】従来例における入賞口の説明図。
【符号の説明】
【００３２】
１００  遊技球
１１１  基枠
１１２  前面枠
１１３  遊技盤
１１４  ガラス枠
１１５  玉受け皿
１１６  前面ボード
１１７  発射ハンドル
１１８  誘導レール
１１９ａ  障害釘
１１９ｂ  風車
２００，４００，５００  回転入賞盤
２０９  回動支点
３００  補助回転入賞盤
２０１，４０１，５０１  開口部
３０１  補助開口部
２０２，４０２，５０２  遮蔽部材あるいは可動片
３０２  補助遮蔽部材
２０４，２０４’，３０４，４０４，５０４  駆動源あるいは駆動機構
【図１】
2009291431.tif 000003
【図２】
2009291431.tif 000004
【図３】
2009291431.tif 000005
【図４】
2009291431.tif 000006
【図５】
2009291431.tif 000007
【図６】
2009291431.tif 000008
【図７】
2009291431.tif 000009
【図８】
2009291431.tif 000010
【図９】
2009291431.tif 000011
【図１０】
2009291431.tif 000012
【図１１】
2009291431.tif 000013
【図１２】
2009291431.tif 000014
【図１３】
2009291431.tif 000015
【図１４】
2009291431.tif 000016
【図１５】
2009291431.tif 000017
【図１６】
2009291431.tif 000018
【図１７】
2009291431.tif 000019
【図１８】
2009291431.tif 000020